(57)【特許請求の範囲】
【請求項１】
天板及び左右の側板を有する本体部と、
ロールペーパーの軸に沿って形成された挿通孔に挿入されて当該ロールペーパーを前記本体部に対して支持するホルダーシャフトと、
前記左右の側板の間に軸支され、支軸を回動の軸として前端が上下方向へ回動自在である紙切板と、
上方に回動する前記紙切板に前記天板よりも先に接触して前記紙切板の前端の上方への回動を規制するストッパー部と、を備え、
前記本体部の内側には、上方に回動する前記紙切板がストッパー部に接触する手前の所定の回動位置で係止するためのロック部が設けられており、
前記ロック部と前記ストッパー部は一体に形成されたペーパーホルダー。
【請求項２】
天板及び左右の側板を有する本体部と、
ロールペーパーの軸に沿って形成された挿通孔に挿入されて当該ロールペーパーを前記本体部に対して支持するホルダーシャフトと、
前記左右の側板の間に軸支され、支軸を回動の軸として前端が上下方向へ回動自在である紙切板と、
上方に回動する前記紙切板に前記天板よりも先に接触して前記紙切板の前端の上方への回動を規制するストッパー部と、を備え、
前記紙切板は、前記紙切板と前記ストッパー部とが当接した状態において、前方から後方に向かって下方に傾斜するペーパーホルダー。
【請求項３】
前記本体部の内側には、上方に回動する前記紙切板がストッパー部に接触する手前の所定の回動位置で係止するためのロック部が設けられており、
前記ロック部と前記ストッパー部は一体に形成された、請求項２に記載のペーパーホルダー。
【請求項４】
前記ストッパー部は、前記左右の側板の少なくとも一方の内面から前記本体部の内側へ向けて突起した突起部である、請求項１乃至請求項３の何れか１項に記載のペーパーホルダー。
【請求項５】
前記ストッパー部は、前記天板の内面から前記本体部の内側へ向けて突起した突起部である、請求項１乃至請求項３の何れか１項に記載のペーパーホルダー。
【発明の詳細な説明】
【技術分野】
【０００１】
本発明は、ペーパーホルダーに関し、特に天板付のペーパーホルダーに関する。
【背景技術】
【０００２】
一般的に、トイレルームにはロール状のトイレットペーパーを保持するペーパーホルダーが設置されている。
【０００３】
従来のペーパーホルダーとしては、左右の側板の内側に設けられたホルダーシャフトによって回転自在に支持されたトイレットペーパーを引出し、使用者の用途に応じた任意の長さで切断できるように、トイレットペーパーの上方に紙切板を設けたものが広く採用されている。
【０００４】
ここで、ペーパーホルダーの左右の側板を天板で接続したものが開示されている（特許文献１参照）。紙巻き器の左右の側板を天板で接続することにより、天板が補強となるため、ペーパーホルダーの側板を樹脂のような強度の弱い材質で形成することができる。また、天板の上面をトイレルーム内の物置用の棚として用いることもできる。
【先行技術文献】
【特許文献】
【０００５】
【特許文献１】特開２０１２−８０９７７号公報
【発明の概要】
【発明が解決しようとする課題】
【０００６】
ところで、紙切板は、その後部が側板の内側において回動可能に軸支されており、その底面の前方寄りの部位が自重でトイレットペーパーの上面に当接した状態で使用される。このように、紙切板の底面の前方寄りの部位がトイレットペーパーの上面に当接しているため、トイレットペーパーの幅方向の一方を把持して紙切板の前端に沿って当該前端に引き当てるように引っ張ることによりトイレットペーパーを容易に切断することができる。なお、トイレットペーパーを交換する際には、紙切板の前端を上方に回動させてトイレットペーパー上面から離間させることとなる。
【０００７】
しかしながら、特許文献１のように紙切板の上方に天板を設けると、トイレットペーパーを交換するために紙切板を上方に回動させるときに、紙切板の上面が天板の下面に衝突してしまうことがあり、この衝突の繰り返しにより紙切板の上面が損傷してしまう。
【０００８】
特に、意匠性を向上させるために紙切板にアルマイト調等の塗装が施されたペーパーホルダーにおいては、衝突の繰り返しにより紙切板の上面が塗装剥げを起こして見栄えが悪くなってしまう。
【０００９】
本発明は、上述した課題を解決するためになされたものであり、紙切板の上面における衝突による損傷を抑制することができるペーパーホルダーを提供することを目的とする。
【課題を解決するための手段】
【００１０】
上記目的を達成するために、本発明の一態様に係るペーパーホルダーによれば、天板及び左右の側板を有する本体部と、ロールペーパーの軸に沿って形成された挿通孔に挿入されてロールペーパーを本体部に対して支持するホルダーシャフトと、左右の側板の間に軸支され、支軸を回動の軸として前端が上下方向へ回動自在である紙切板と、上方に回動する紙切板に天板よりも先に接触して紙切板の前端の上方への回動を規制するストッパー部と、を備えている
【００１１】
この構成によれば、トイレットペーパーを交換するとき等に紙切板を上方へ大きく回動させてしまった場合に、紙切板が天板に接触するよりも先にストッパー部が接触し、紙切板の上方への回動を規制することで紙切板と天板が衝突するのを防ぐことができる。これにより、紙切板上面の損傷や塗装剥げを抑制することができる。
【００１２】
また、本発明の一態様に係るペーパーホルダーは、ストッパー部は、左右の側板の少なくとも一方の内面から本体部の内側へ向けて突起した突起部であってもよい。
【００１３】
このように構成された本発明においては、ストッパー部としての突起部が本体部の内側に設けられているため、ストッパー部が使用者側から見えづらく、ペーパーホルダー自体の見栄えを損なわない。また、紙切板が天板に接触する場合に比べて接触時の面積が狭くなっているため、大きな衝突音の発生を抑制することができる。
【００１４】
また、本発明の一態様に係るペーパーホルダーは、ストッパー部は、天板の内面から本体部の内側へ向けて突起した突起部であってもよい。
【００１５】
このように構成された本発明においては、ストッパー部としての突起部が本体部の内側に設けられているため、ストッパー部が使用者側から見えづらく、ペーパーホルダー自体の見栄えを損なわない。また、紙切板が天板に接触する場合に比べて接触時の面積が狭くなっているため、大きな衝突音の発生を抑制することができる。
【００１６】
また、本発明の一態様に係るペーパーホルダーは、本体部の内側には、上方に回動する紙切板がストッパー部に接触する手前の所定の回動位置で係止するためのロック部が設けられており、ロック部とストッパー部は一体に形成されてもよい。
【００１７】
このように構成された本発明においては、ロック部とストッパー部が一体に形成されているため、部品点数の削減になる。
【発明の効果】
【００１８】
本発明によれば、紙切板の上面における衝突による損傷を抑制することができるペーパーホルダーを提供することができる。
【図面の簡単な説明】
【００１９】
【図１】本発明の実施形態によるペーパーホルダーの下方斜視図である。
【図２】本発明の実施形態によるペーパーホルダーの一部分解斜視図である。
【図３】本発明の実施形態による回動規制部材の斜視図である。
【図４】本発明の実施形態による天板部の上方斜視図である。
【図５】本発明の実施形態による回動規制部材を取り外した状態での中央取付部付近の上方斜視図である。
【図６】本発明の実施形態による回動規制部材を取り外した状態での側方取付部付近の上方斜視図である。
【図７】本発明の実施形態によるペーパーホルダーの回動規制部材付近の下方斜視図である。
【図８】本発明の実施形態による紙切板の回動範囲を説明するための図である。
【発明を実施するための形態】
【００２０】
図面を参照して、本発明の実施形態によるペーパーホルダーを以下に説明する。
【００２１】
＜ペーパーホルダーの構成＞
まず、図１，２を参照して、本発明の実施形態によるペーパーホルダーの全体構成について説明する。図１は、本発明の実施形態によるペーパーホルダーの下方斜視図である。図２は、本発明の実施形態によるペーパーホルダーの一部分解斜視図である。
【００２２】
図１，２に示すように、本発明の実施形態によるペーパーホルダー１は、２個のロールペーパーＲを左右に並べて装着できる２連式のものであり、ホルダー本体５と、回動規制部材２０と、紙切板３０と、ホルダーシャフト４０と、棚板５０と、を有する。
【００２３】
ホルダー本体５は、ＡＢＳ（Acrylonitrile Butadiene Styrene）樹脂材によって前側と下側が開口した箱状の本体部１０が２個左右横並びになるよう一体的に形成されたものであり、天板部１１と、背板部１４と、仕切板部１５と、側板部１７，１７と、を有する。２つのロールペーパーＲは、それぞれ箱状の本体部１０の中に収容される。
【００２４】
側板部１７，１７と仕切板部１５は、側板部１７，１７の間に仕切板部１５を配置しつつそれぞれ間隔を空けて互いに面平行な位置関係で設けてある。側板部１７，１７と仕切板部１５の上面側及び背面側は、天板部１１及び背板部１４で連結されている。左右の本体部１０は、ロールペーパーＲの収容空間を形成する部分として、仕切板部１５を共有する。つまり、各本体部１０においては、仕切板部１５と、側板部１７とが、左右の側板に相当する。
【００２５】
天板部１１は、ホルダー本体５の上面を構成する。この天板部１１には、ホルダー本体５と棚板５０とをネジ固定するための貫通孔である固定孔１１ａが設けられている。
【００２６】
背板部１４は、ホルダー本体５の背面を構成する。この背板部１４には、ホルダー本体５をトイレルームの壁面にネジ固定するための貫通孔である固定孔１４ａが設けられている。
【００２７】
仕切板部１５は、上面が開口した中空状のものであり、ホルダー本体５の内側において天板部１１と背板部１４を中央で仕切っている。この仕切板部１５は、左右側端面において、突出用孔１５ａと、被軸支部１５ｂと、を有する。
【００２８】
突出用孔１５ａは、仕切板部１５の左右側端面の上端前方寄りの位置に形成された貫通孔であり、この突出用孔１５ａを用いて、後述する回動規制部材２０の一部を箱状の本体部１０の内側に突出させる。具体的には、後述する回動規制部材２０をホルダー本体５に設置した状態において、回動規制部材２０が有するストッパー部２７とロック部２９が突出用孔１５ａから本体部１０の内側に向けて突出した状態となる。
【００２９】
被軸支部１５ｂは、紙切板３０を本体部１０内に軸支するためのものであり、仕切板部１５の左右側端面の上部の後方寄りの位置に設けられている。具体的には、仕切板部１５の左右側端面の下端の後方寄りから上方に向けて延びた縦長の縦溝１５ｃが形成されており、その縦溝１５ｃの上端に円形状の凹部あるいは孔部として被軸支部１５ｂが設けられている。縦溝１５ｃの下側は開放されている。
【００３０】
側板部１７は、上面が開口した中空状のものであり、ホルダー本体５の左右側端面を構成する。この側板部１７は、ロールペーパーＲに対面する側の面において、突出用孔１７ａと、被軸支部１７ｂと、を有する。側板部１７の突出用孔１７ａ及び被軸支部１７ｂは、それぞれ仕切板部１５の突出用孔１５ａ及び被軸支部１５ｂと対称的な形状部分である。
【００３１】
突出用孔１７ａは、側板部１７のロールペーパーＲに対面する側の面において突出用孔１５ａと対向する位置に設けられた貫通孔であり、突出用孔１５ａと同様に、回動規制部材２０の一部を箱状の本体部１０の内側に突出させる。
【００３２】
被軸支部１７ｂは、被軸支部１５ｂと同様に、紙切板３０を本体部１０内に軸支するためのものであり、側板部１７のロールペーパーＲに対面する側の面において被軸支部１５ｂと対向する位置に設けられている。具体的には、側板部１７のロールペーパーＲに対面する側の面の下端の後方寄りから上方に向けて延びた縦長の縦溝１７ｃが形成されており、その縦溝１７ｃの上端に円形状の凹部あるいは孔部として被軸支部１７ｂが設けられている。縦溝１７ｃの下側は開放されている。
【００３３】
紙切板３０は、略矩形板状であり、ホルダー本体５の本体部１０内に配置されるロールペーパーＲの上方において、上述した被軸支部１５ｂ，１７ｂに軸支される軸支部３１を回動の軸として上下方向へ回動自在に設置されるものである。この紙切板３０は、軸支部３１以外に、リブ３３と、紙切部３５と、ロック溝３７と、を有する。
【００３４】
軸支部３１は、紙切板３０の左右側面の後端において外側へ突出した円柱形状の突起である。この軸支部３１を被軸支部１５ｂ，１７ｂに嵌合させることにより、紙切板３０は本体部１０内において上下方向へ回動自在に軸支される。軸支部３１を被軸支部１５ｂ，１７ｂに嵌合させる際には、縦溝１５ｃ，１７ｃの下方から軸支部３１をその外周面側から嵌入して上端の被軸支部１５ｂ，１７ｂまで摺動させることで、軸支部３１を被軸支部１５ｂ，１７ｂに嵌合させることができる。
【００３５】
紙切板３０の下面前端には、前後に亘って延びて下方へ突起したリブ３３が幅方向に沿って複数並設されている。このリブ３３は、使用時においてロールペーパーＲの上面に当接しており、ロールペーパーＲを紙切板３０の自重により加圧している。そのため、ロールペーパーＲの引出し時において、上下振動を抑制するとともに、ロールペーパーＲに程よい摩擦を与えることでスムーズに引き出すことができる。
【００３６】
紙切部３５は、紙切板３０の先端において多数形成された円柱形状の突起であり、使用者が任意の長さまで引き出したロールペーパーＲを紙切部３５に押し当てることにより、ロールペーパーＲのペーパー切断を補助する。
【００３７】
このように、紙切板３０は、各本体部１０を構成する左右の側板としての仕切板部１５及び側板部１７の間に軸支され、後端部に設けられた支軸である軸支部３１を回動の軸として前端が上下方向に移動するように回動自在に設けられている。
【００３８】
ホルダーシャフト４０は、仕切板部１５と側板部１７の下部前方側に取り付けられ、本体部１０内においてロールペーパーＲを回動可能に支持するものである。このホルダーシャフト４０は、上方に向けて突出した回転用パイプ４１と、この回転用パイプ４１を軸として水平方向に回動可能なシャフト本体４３と、を有する。
【００３９】
ホルダーシャフト４０が仕切板部１５と側板部１７に取り付けられた状態においては、シャフト本体４３の先端が本体部１０の左右内側に向いた状態で互いに対向するように配置され、シャフト本体４３は水平方向に回動可能である。
【００４０】
回転用パイプ４１とシャフト本体４３との間にはばねが介装されている。そのため、ロールペーパーＲを前方からホルダーシャフト４０に突き当てるように押し込むとシャフト本体４３が後方に回動して逃げる。そこからさらにロールペーパーＲを押し込むと、ロールペーパーＲの挿通孔Ｏの両端がシャフト本体４３の位置まで到達し、シャフト本体４３がばねの作用により元の位置に復帰してロールペーパーＲの挿通孔Ｏに差し込まれる。これにより、ホルダーシャフト４０によってロールペーパーＲが本体部１０内において回転自在に支持される。
【００４１】
棚板５０は、ホルダー本体５の天板部１１の上面に固定されるものであり、棚板５０の下面には、天板部１１の固定孔１１ａとネジ固定するための被固定孔５０ａが設けられている。この棚板５０は、ペーパーホルダー１の上部側の外観をよくするとともに、上面に物を置くための棚としての機能を有する。
【００４２】
＜回動規制部材の構成＞
次に、図３を参照して、本発明の実施形態による回動規制部材の全体構成について説明する。図３は、本発明の実施形態による回動規制部材の斜視図である。
【００４３】
図３に示すように、本発明の実施形態による回動規制部材２０は、耐摩耗性に優れたＰＯＭ（Poly Oxy Methylene）樹脂材によって形成されており、水平方向に延びる水平部２１と、水平部２１の下面中央から垂下した鉛直部２５と、を有する。
【００４４】
回動規制部材２０は、鉛直部２５上にストッパー部２７を有する。ストッパー部２７は、鉛直部２５の長手方向の中間部において鉛直部２５の内側の側面２５ａに突設されており、略「Ｕ」字状の横断面形状をなす溝状の突出部分である。ストッパー部２７は、鉛直部２５と一体的に形成されており、回動規制部材２０がホルダー本体５に取り付けられた状態において、天板部１１の内面から本体部１０内の内側へ向けて突起した突起部となり、上方へ回動させた紙切板３０に天板部１１よりも先に接触して紙切板３０の前端の上方への回動を規制する。
【００４５】
また、ストッパー部２７の下方には、半球形状をしたロック部２９が鉛直部２５と一体的に形成されている。ロック部２９は、上方に回動する紙切板３０がストッパー部２７に接触する手前の所定の回動位置で紙切板３０を係止するための部分である。ロック部２９は、鉛直部２５の下端部において鉛直部２５の内側の側面２５ａに突設されている。ロック部２９は、回動規制部材２０がホルダー本体５に取り付けられた状態において、本体部１０の内側へ向けて突起した突起部となり、紙切板３０を上方へ回動させた際に、紙切板３０の左右側端面に形成されたロック溝３７に嵌合することで、紙切板３０を所定の回動位置でロックする。
【００４６】
さらに、回動規制部材２０は水平部２１の内側の側面２１ａにおいて、ストッパー部２７が延びる方向へ突起した中央突部２２と、中央突部２２に対して左右に間隔を空けて設けられた係止爪２３と、を有する。中央突部２２とその両側の係止爪２３とは、水平部２１から垂設された鉛直部２５に対して略直角をなす共通の平面に沿うように形成されている。この係止爪２３をホルダー本体５に係止させることで、回動規制部材２０をホルダー本体５に取り付けることができる。
【００４７】
＜回動規制部材のホルダー本体への取り付け構造＞
次に、図４〜７を参照して、本発明の実施形態による回動規制部材のホルダー本体への取り付け構造について説明する。図４は、本発明の実施形態による天板部の上方斜視図である。図５は、本発明の実施形態による回動規制部材を取り外した状態での中央取付部付近の上方斜視図である。図６は、本発明の実施形態による回動規制部材を取り外した状態での側方取付部付近の上方斜視図である。図７は、本発明の実施形態による中央取付部に取り付けられた回動規制部材付近の下方斜視図である。
【００４８】
図４〜６に示すように、ホルダー本体５は上部において、回動規制部材２０をホルダー本体５に取り付けるための中央取付部１２及び側方取付部１３を有する。
【００４９】
中央取付部１２は、ホルダー本体５の天板部１１の上面に凹陥部として設けられた部分であり、下面の一部が突出用孔１５ａの開口の上部に連通した入口部１２ａと、入口部１２ａと連続した狭隘部１２ｂと、狭隘部１２ｂと連続した拡幅部１２ｃと、を有する。中央取付部１２は、ペーパーホルダー１における前後方向（図８における左右方向）を幅方向とし、上面視において、入口部１２ａから狭隘部１２ｂで一旦幅を狭くし、拡幅部１２ｃにて狭隘部１２ｂよりも幅を広げる。中央取付部１２は、幅方向について対称な形状を有する。
【００５０】
狭隘部１２ｂには、入口部１２ａ側から拡幅部１２ｃ側に近づくにつれて狭隘部１２ｂの幅が狭くなるように傾斜した傾斜面１２ｄが設けられる。
【００５１】
拡幅部１２ｃには、拡幅部１２ｃ内において回動規制部材２０の係止爪２３が係止できるように狭隘部１２ｂとの関係で段状に形成された被係止部１２ｅが設けられる。被係止部１２ｅは、狭隘部１２ｂと拡幅部１２ｃとの幅の差による段差面を形成する部分である。
【００５２】
側方取付部１３は、中央取付部１２と左右対称の形状部分である。すなわち、側方取付部１３は、中央取付部１２と同様に、下面の一部が突出用孔１７ａの開口の上部に連通した入口部１３ａと、入口部１３ａと連続して傾斜面１３ｄが設けられた狭隘部１３ｂと、狭隘部１３ｂと連続して被係止部１３ｅが設けられた拡幅部１３ｃと、を有する。
【００５３】
回動規制部材２０を中央取付部１２に取り付ける際、図５に示すように、回動規制部材２０を、中空状の仕切板部１５の内部空間側から、鉛直部２５を下方に向けるとともに、中央突部２２及び係止爪２３の先端を入口部１２ａに対面させる向きで、中央突部２２及び係止爪２３を横方向に差し込むように中央取付部１２へ挿入する。以後、この挿入方向を奥行き方向とする。
【００５４】
左右の係止爪２３先端付近の側端面には先端に向けて幅狭となるように傾斜した摺動面２３ａが設けられており、係止爪２３に力が加わっていない状態における左右の係止爪２３の幅の広さが最も広い部分を幅広部Ｗとする。回動規制部材２０を中央取付部１２に取り付ける際は、この摺動面２３ａを狭隘部１２ｂの傾斜面１２ｄ上を摺動させながら回動規制部材２０を奥行き方向へ押し込む。このとき係止爪２３は、幅広部Ｗの幅が狭まるように中央突部２２側へ弾性変形しながら狭隘部１２ｂを通過する。
【００５５】
そして、係止爪２３の幅広部Ｗが拡幅部１２ｃに到達すると、係止爪２３の幅広部Ｗが元の幅の広さに復帰して係止爪２３が被係止部１２ｅに係止する。この一連の動作により、図７に示すように、回動規制部材２０が中央取付部１２へ取り付けられる。
【００５６】
図６に示すように、側方取付部１３も中央取付部１２とほぼ同様の構成をしているため、上述した取付方法と同様の動作を行うことにより、回動規制部材２０を側方取付部１３に取り付けることができる。
【００５７】
図７に示すように、回動規制部材２０が中央取付部１２，１３に取り付けられた状態においては、ストッパー部２７とロック部２９が突出用孔１５ａから本体部１０の内側に向けて突出した状態となる。また、回動規制部材２０は、中央突部２２とストッパー部２７とで天板部１１の一部、具体的には狭隘部１２ｂ，１３ｂ及び拡幅部１２ｃ，１３ｃの底部を挟み込むようにして中央取付部１２に取り付けられている。
【００５８】
＜紙切板の回動範囲について＞
次に、図８を参照して、本発明の実施形態による紙切板の回動範囲について説明する。図８は、本発明の実施形態による紙切板の回動範囲を説明するための図である。
【００５９】
図８において、符号３０Ａは、仮にホルダー本体５にストッパー部２７を有する回動規制部材２０を設けなかった場合に、天板部１１と紙切板３０とが当接した状態となる回動位置にある紙切板３０を示す。この回動位置を第一の回動位置とする。
【００６０】
符号３０Ｂは、自重によってリブ３３をホルダー本体５に設置されたロールペーパーＲと当接させた状態となる回動位置にある紙切板３０を示す。この回動位置を第二の回動位置とする。
【００６１】
符号３０Ｃは、ホルダー本体５に取り付けられた回動規制部材２０のストッパー部２７と紙切板３０とが当接した状態となる回動位置にある紙切板３０を示す。この回動位置を第三の回動位置とする。
【００６２】
これらの回動位置の位置関係については、図８に示すように、紙切板３０Ｃの第三の回動位置は、紙切板３０Ａの第一の回動位置と紙切板３０Ｂの第二の回動位置との間に位置する。すなわち、紙切板３０の軸支部３１による上方への回動動作について、紙切板３０は、その上面に、天板部１１よりも先に、ストッパー部２７の当接を受けて回動を止める。
【００６３】
＜作用・効果＞
次に、本発明の実施形態によるペーパーホルダーの作用効果を説明する。
【００６４】
本発明の実施形態においては、ストッパー部２７と紙切板３０とが当接した状態での紙切板３０（３０Ｃ）の第三の回動位置が、天板部１１と当接した状態の紙切板３０（３０Ａ）の第一の回動位置と、ロールペーパーＲに当接した状態の紙切板３０（３０Ｂ）の第二の回動位置との間に位置する。つまり、ペーパーホルダー１は、紙切板３０を上方へ回動させたときに、紙切板３０がホルダー本体５の天板部１１に衝突する前に、突出用孔１５ａ，１７ａから本体部１０の内側へ突出したストッパー部２７に紙切板３０を当接させ、それ以上紙切板３０が上方へ回動しないように規制している。そのため、紙切板３０が天板部１１に衝突するのを防ぐことができ、紙切板３０上面の損傷や塗装剥げを抑制することができる。また、紙切板３０をストッパー部２７に当接させることにより、紙切板３０が天板部１１に衝突する場合に比べて、衝突面を小さくすることができ、また、紙切板３０の回動の勢い（角速度）が大きくなる前に紙切板３０を止めることができるので、衝突音の発生を抑制することができる。
【００６５】
また、ストッパー部２７は、本体部１０の内側に形成された突出用孔１５ａ，１７ａから突出しているため、使用者からストッパー部２７が見えづらく、ペーパーホルダー１全体の意匠性の低下を抑制することができる。
【００６６】
また、ストッパー部２７は、ロック部２９とともに一体的に形成された回動規制部材２０として構成されているため、部品点数を削減することができ、コストの削減につながる。
【００６７】
また、回動規制部材２０は、中央突部２２とストッパー部２７とで天板部１１の一部を挟み込むようにしてホルダー本体５の本体部１０に取り付けられているため、ロック部２９とロック溝３７との嵌合による紙切板３０の回動位置のロック及びロック解除の操作によって回動規制部材２０に上下方向への大きな力が加わったとしても、回動規制部材２０がホルダー本体５から外れにくい。
【００６８】
＜変形例＞
以上、本願の開示する技術の実施形態について説明したが、本願の開示する技術は、上記に限定されるものではない。
【００６９】
例えば、上記実施形態においては、ペーパーホルダー１は、２個のロールペーパーＲを装着できる２連式のものとしたが、本発明はこれに限らず、１個のロールペーパーＲを装着できる１連式のものであってもよく、また３個以上のロールペーパーＲを装着できるものであってもよい。すなわち、本発明に係るペーパーホルダーは、ロールペーパーＲを収容する箱状の本体部１０を少なくとも１つ有する構成であればよい。
【００７０】
また、上記実施形態においては、ストッパー部２７は、ロック部２９と一体的に形成された回動規制部材２０としてホルダー本体５に取り付けられることで本体部１０内に配設されたが、本発明はこれに限らず、例えばストッパー部２７が、本体部１０の内側に向けて突起するように、ホルダー本体５の天板部１１内面に一体的に形成されてもよく、又ホルダー本体５の仕切板部１５及び側板部１７の内面に一体的に形成されてもよい。
【００７１】
また、上記実施形態においては、回動規制部材２０は、ストッパー部２７とロック部２９を有しているが、ストッパー部２７のみを有してもよい。また、ロック部２９を設ける場合、ロック部２９は、ストッパー部２７とは別部材として設けられてもよい。
【００７２】
また、上記実施形態においては、ストッパー部２７を有する回動規制部材２０を、仕切板部１５と側板部１７の両方に設けたが、どちらか一方にのみ回動規制部材２０を設けてもよい。
【００７３】
また、上記実施形態においては、ホルダー本体５をＡＢＳ樹脂材で形成し、回動規制部材２０をＰＯＭ樹脂材で形成することとしたが、本発明はこれに限らず、これらの材質を適宜変更してもよい。なお、回動規制部材２０の材質は、紙切板３０の上面の損傷及び衝突音の抑制のためには、できるだけ軟質な材質が好ましい。
【００７４】
また、上記実施形態においては、ストッパー部２７を突出させる突出用孔１５ａ，１７ａは、仕切板部１５及び側板部１７の上端前方寄りの位置に形成されることとしたが、紙切板３０が天板部１１に当接しない位置にストッパー部２７を配設できれば、突出用孔１５ａ，１７ａの形成位置はこれに限定されない。
突出用孔１５ａ，１７ａの形成位置を前方寄りにするほど回動規制部材２０を小さくすることができる一方で、紙切板３０の回動時の角速度増加によって衝突音が大きくなることに加え、ストッパー部２７が使用者から見えやすくなってしまう。逆に、突出用孔１５ａ，１７ａの形成位置を後方にするほど衝突音を小さくすることができ、さらにストッパー部２７が使用者から見えづらくなる一方で、回動規制部材２０を大きくする必要がある。
【００７５】
前述した各実施の形態が備える各要素は、技術的に可能な限りにおいて組み合わせることができ、これらを組み合わせたものも本発明の特徴を含む限り本発明の範囲に包含される。
【符号の説明】
【００７６】
１      ペーパーホルダー
５      ホルダー本体
１０    本体部
１１    天板部（天板）
１１ａ  固定孔
１２    中央取付部
１２ａ  入口部
１２ｂ  狭隘部
１２ｃ  拡幅部
１２ｄ  傾斜面
１２ｅ  被係止部
１３    側方取付部
１３ａ  入口部
１３ｂ  狭隘部
１３ｃ  拡幅部
１３ｄ  傾斜面
１３ｅ  被係止部
１４    背板部
１４ａ  固定孔
１５    仕切板部（側板）
１５ａ  突出用孔
１５ｂ  被軸支部
１５ｃ  縦溝
１７    側板部（側板）
１７ａ  突出用孔
１７ｂ  被軸支部
１７ｃ  縦溝
２０    回動規制部材
２１    水平部
２１ａ  側面
２２    中央突部
２３    係止爪
２３ａ  摺動面
２５    鉛直部
２５ａ  側面
２７    ストッパー部
２９    ロック部
３０    紙切板
３０Ａ  第一の回動位置
３０Ｂ  第二の回動位置
３０Ｃ  第三の回動位置
３１    軸支部
３３    リブ
３５    紙切部
３７    ロック溝
４０    ホルダーシャフト
４１    回転用パイプ
４３    シャフト本体
５０    棚板
５０ａ  被固定孔
Ｒ      ロールペーパー
Ｏ      挿通孔
Ｗ      幅広部
【図１】
0006618034.tif 000002
【図２】
0006618034.tif 000003
【図３】
0006618034.tif 000004
【図４】
0006618034.tif 000005
【図５】
0006618034.tif 000006
【図６】
0006618034.tif 000007
【図７】
0006618034.tif 000008
【図８】
0006618034.tif 000009